(57)【要約】      （修正有）【課題】端末間で音声通信が確立し画像が表示されている場合において、端末の操作に起因してユーザ間のコミュニケーションに生じる支障を抑制する。【解決手段】読み聞かせ支援システム１において、管理サーバ１０は、画像を表示可能な第１端末２０と第２端末３０との通信の要求を取得する通信要求取得手段と、通信要求取得手段に要求が取得されたことに基づき、端末間の音声通信を確立する確立手段と、通信要求取得手段に要求が取得されたことに基づき、双方の端末に画像を表示させる表示制御手段と、いずれか一方の端末から、表示制御手段により表示された画像の変更要求を取得する変更要求取得手段と、変更要求取得手段により変更要求が取得されると、第１端末に表示されている画像と第２端末に表示されている画像とを変更する変更手段と、変更要求における要求内容に対して予め定められた条件に基づいて、変更手段による変更を制限する制限手段とを備える。【選択図】図１
2020048085.tif 000002
【特許請求の範囲】
【請求項１】
画像を表示可能な第１端末と、画像を表示可能な第２端末との通信の要求を取得する通信要求取得手段と、
前記通信要求取得手段に前記要求が取得されたことに基づき、前記第１端末と前記第２端末との音声通信を確立する確立手段と、
前記通信要求取得手段に前記要求が取得されたことに基づき、前記第１端末と前記第２端末とに画像を表示させる表示制御手段と、
前記第１端末および前記第２端末の少なくとも一方から、前記表示制御手段により表示された画像の変更要求を取得する変更要求取得手段と、
前記変更要求取得手段により前記変更要求が取得されると、前記第１端末に表示されている画像と前記第２端末に表示されている画像とを変更する変更手段と、
前記変更要求における要求内容に対して予め定められた条件に基づいて、前記変更手段による前記変更を制限する制限手段と、
を備えた、コミュニケーションシステム。
【請求項２】
前記変更要求には、当該変更要求の送信元の端末において行われた操作を示す操作情報が含まれ、
前記制限手段は、前記操作情報から特定される操作が画像の表示倍率を変更するための操作である場合、前記送信元の端末に表示されている画像の表示倍率の変更を制限せずに、前記第１端末および前記第２端末のうち送信元でない端末に表示されている画像の表示倍率の変更を制限することを特徴とする請求項１記載のコミュニケーションシステム。
【請求項３】
一連の絵と、一連の文章とを関連付けて記憶する記憶手段をさらに備え、
前記制限手段は、前記操作情報から特定される操作が画像の表示内容を変更するための内容変更操作である場合、前記制限を行わず、
前記変更手段は、前記操作情報から特定される操作が前記内容変更操作である場合、前記第１端末に表示されている画像を前記一連の絵のうち前記変更要求に応じた絵に変更し、前記第２端末に表示されている画像を前記一連の文章のうち当該変更要求に応じた当該絵に関連付けられた文章に変更することを特徴とする請求項２記載のコミュニケーションシステム。
【請求項４】
前記操作情報から特定される操作が前記内容変更操作である場合、前記送信元の端末において前記内容変更操作が行われたことを、送信元でない端末に通知する通知手段をさらに備えたことを特徴とする請求項３記載のコミュニケーションシステム。
【請求項５】
画像を表示する表示手段と、
自装置における操作に基づいて、他の端末との音声通信を確立する確立手段と、
前記操作に基づいて、当該他の端末に表示される画像と同一または関連する画像を前記表示手段に表示させる表示制御手段と、
前記表示制御手段により前記表示手段に特定画像を表示させるための特定画像表示操作を受け付ける操作手段と、
前記表示制御手段により前記表示手段に前記同一または関連する画像が表示されている場合において、前記特定画像表示操作が行われた場合に、当該表示手段に前記特定画像が表示されることを制限する制限手段と、
を備えた、端末装置。
【請求項６】
前記表示手段に表示されている前記画像と同一または関連する画像が前記他の端末に表示されなくなったことを示す非表示情報を取得する取得手段をさらに備え、
前記表示制御手段は、前記取得手段により前記非表示情報が取得されることに基づいて、前記表示手段に前記特定画像を表示させることを特徴とする請求項５記載の端末装置。
【請求項７】
前記取得手段により前記非表示情報が取得されると、前記表示手段に表示されていた前記画像と同一または関連する画像が前記他の端末に表示されなくなったことを通知する通知手段をさらに備えたことを特徴とする請求項６記載の端末装置。
【請求項８】
コンピュータに、
画像を表示可能な第１端末と、画像を表示可能な第２端末との通信の要求を取得する通信要求取得機能と、
前記通信要求取得機能に前記要求が取得されたことに基づき、前記第１端末と前記第２端末との音声通信を確立する確立機能と、
前記通信要求取得機能に前記要求が取得されたことに基づき、前記第２端末に表示される画像と同一または関連する画像を前記第１端末に表示させる表示機能と、
前記第１端末に前記同一または関連する画像が表示されている場合において、当該第１端末において特定画像を表示させるための操作が行われた場合に当該特定画像が表示されることを制限する制限機能と、
を実現させるための、プログラム。
【請求項９】
コンピュータに、
画像を表示可能な第１端末と、画像を表示可能な第２端末との通信の要求を取得する通信要求取得機能と、
前記通信要求取得機能に前記要求が取得されたことに基づき、前記第１端末と前記第２端末との音声通信を確立する確立機能と、
前記通信要求取得機能に前記要求が取得されたことに基づき、前記第２端末に表示される画像と同一または関連する画像を前記第１端末に表示させる表示機能と、
前記第１端末から、前記表示機能により表示された前記画像の変更要求を取得する変更要求取得機能と、
前記変更要求取得機能により前記変更要求が取得されると、前記第１端末に表示されている画像を変更する変更機能と、
前記変更要求取得機能により前記変更要求が取得されると、前記第２端末に表示されている画像の変更指示を当該第２端末に送信する送信機能と、
前記変更要求における要求内容に対して予め定められた条件に基づいて、前記送信機能による前記第２端末への前記変更指示の送信を制限する制限機能と、
を実現するための、プログラム。
【発明の詳細な説明】
【技術分野】
【０００１】
本発明は、コミュニケーションシステム、端末装置、およびプログラムに関する。
【背景技術】
【０００２】
例えば特許文献１には、第１通信端末又は第２通信端末がネットワークを介してから情報検索を行い、その結果を自端末において出力すると共に情報検索を行った通信端末とは異なる通話相手の通信端末に対して送信することが開示されている。
【先行技術文献】
【特許文献】
【０００３】
【特許文献１】特開２０１１−２０５２３８号公報
【発明の概要】
【発明が解決しようとする課題】
【０００４】
例えば、第１端末と第２端末との音声通信を確立し、第１端末と第２端末とに画像を表示させるシステムがある。第１端末のユーザは、例えば、端末に表示されている画像に関する話を通じて、第２端末のユーザとコミュニケーションを図る。この場合において、第１端末における操作や第２端末における操作によって端末に適切でない画像が表示されると、ユーザ間のコミュニケーションに支障が生じることがある。
【０００５】
本発明は、第１端末と第２端末との音声通信が確立し第１端末と第２端末とに画像が表示されている場合において、端末の操作に起因してユーザ間のコミュニケーションに支障が生じることを抑制することを目的とする。
【課題を解決するための手段】
【０００６】
かかる目的のもと、本発明は、画像を表示可能な第１端末と、画像を表示可能な第２端末との通信の要求を取得する通信要求取得手段と、前記通信要求取得手段に前記要求が取得されたことに基づき、前記第１端末と前記第２端末との音声通信を確立する確立手段と、前記通信要求取得手段に前記要求が取得されたことに基づき、前記第１端末と前記第２端末とに画像を表示させる表示制御手段と、前記第１端末および前記第２端末の少なくとも一方から、前記表示制御手段により表示された画像の変更要求を取得する変更要求取得手段と、前記変更要求取得手段により前記変更要求が取得されると、前記第１端末に表示されている画像と前記第２端末に表示されている画像とを変更する変更手段と、前記変更要求における要求内容に対して予め定められた条件に基づいて、前記変更手段による前記変更を制限する制限手段と、を備えた、コミュニケーションシステムである。
ここで、コミュニケーションシステムは、前記変更要求には、当該変更要求の送信元の端末において行われた操作を示す操作情報が含まれ、前記制限手段は、前記操作情報から特定される操作が画像の表示倍率を変更するための操作である場合、前記送信元の端末に表示されている画像の表示倍率の変更を制限せずに、前記第１端末および前記第２端末のうち送信元でない端末に表示されている画像の表示倍率の変更を制限することを特徴とすることができる。
さらに、コミュニケーションシステムは、一連の絵と、一連の文章とを関連付けて記憶する記憶手段をさらに備え、前記制限手段は、前記操作情報から特定される操作が画像の表示内容を変更するための内容変更操作である場合、前記制限を行わず、前記変更手段は、前記操作情報から特定される操作が前記内容変更操作である場合、前記第１端末に表示されている画像を前記一連の絵のうち前記変更要求に応じた絵に変更し、前記第２端末に表示されている画像を前記一連の文章のうち当該変更要求に応じた当該絵に関連付けられた文章に変更することを特徴とすることができる。
さらに、コミュニケーションシステムは、前記操作情報から特定される操作が前記内容変更操作である場合、前記送信元の端末において前記内容変更操作が行われたことを、送信元でない端末に通知する通知手段をさらに備えたことを特徴とすることができる。
また、上記の目的を達成する他の本発明は、画像を表示する表示手段と、自装置における操作に基づいて、他の端末との音声通信を確立する確立手段と、前記操作に基づいて、当該他の端末に表示される画像と同一または関連する画像を前記表示手段に表示させる表示制御手段と、前記表示制御手段により前記表示手段に特定画像を表示させるための特定画像表示操作を受け付ける操作手段と、前記表示制御手段により前記表示手段に前記同一または関連する画像が表示されている場合において、前記特定画像表示操作が行われた場合に、当該表示手段に前記特定画像が表示されることを制限する制限手段と、を備えた、端末装置である。
ここで、端末装置は、前記表示手段に表示されている前記画像と同一または関連する画像が前記他の端末に表示されなくなったことを示す非表示情報を取得する取得手段をさらに備え、前記表示制御手段は、前記取得手段により前記非表示情報が取得されることに基づいて、前記表示手段に前記特定画像を表示させることを特徴とすることができる。
さらに、端末装置は、前記取得手段により前記非表示情報が取得されると、前記表示手段に表示されていた前記画像と同一または関連する画像が前記他の端末に表示されなくなったことを通知する通知手段をさらに備えたことを特徴とすることができる。
また、上記の目的を達成する他の本発明は、コンピュータに、画像を表示可能な第１端末と、画像を表示可能な第２端末との通信の要求を取得する通信要求取得機能と、前記通信要求取得機能に前記要求が取得されたことに基づき、前記第１端末と前記第２端末との音声通信を確立する確立機能と、前記通信要求取得機能に前記要求が取得されたことに基づき、前記第２端末に表示される画像と同一または関連する画像を前記第１端末に表示させる表示機能と、前記第１端末に前記同一または関連する画像が表示されている場合において、当該第１端末において特定画像を表示させるための操作が行われた場合に当該特定画像が表示されることを制限する制限機能と、を実現させるための、プログラムである。
また、上記の目的を達成する他の本発明は、コンピュータに、画像を表示可能な第１端末と、画像を表示可能な第２端末との通信の要求を取得する通信要求取得機能と、前記通信要求取得機能に前記要求が取得されたことに基づき、前記第１端末と前記第２端末との音声通信を確立する確立機能と、前記通信要求取得機能に前記要求が取得されたことに基づき、前記第２端末に表示される画像と同一または関連する画像を前記第１端末に表示させる表示機能と、前記第１端末から、前記表示機能により表示された前記画像の変更要求を取得する変更要求取得機能と、前記変更要求取得機能により前記変更要求が取得されると、前記第１端末に表示されている画像を変更する変更機能と、前記変更要求取得機能により前記変更要求が取得されると、前記第２端末に表示されている画像の変更指示を当該第２端末に送信する送信機能と、前記変更要求における要求内容に対して予め定められた条件に基づいて、前記送信機能による前記第２端末への前記変更指示の送信を制限する制限機能と、を実現するための、プログラムである。
【発明の効果】
【０００７】
本発明によれば、第１端末と第２端末との音声通信が確立し第１端末と第２端末とに画像が表示されている場合において、端末の操作に起因してユーザ間のコミュニケーションに支障が生じることを抑制することができる。
【図面の簡単な説明】
【０００８】
【図１】本実施形態に係る読み聞かせ支援システムの全体構成例を示す図である。
【図２】管理サーバ、依頼ユーザの端末、および被依頼ユーザの端末のハードウェア構成例を示す図である。
【図３】管理サーバの機能構成例を示した図である。
【図４】制御部の機能構成例を示した図である。
【図５】読み聞かせ支援システムのシーケンス図である。
【図６】依頼ユーザの端末における画像の表示例および被依頼ユーザの端末における画像の表示例を示した図である。
【図７】（ａ）、（ｂ）は、依頼ユーザの端末における画像の表示例および被依頼ユーザの端末における画像の表示例を示した図である。
【図８】（ａ）、（ｂ）は、依頼ユーザの端末における画像の表示例および被依頼ユーザの端末における画像の表示例を示した図である。
【図９】（ａ）、（ｂ）は、依頼ユーザの端末における画像の表示例および被依頼ユーザの端末における画像の表示例を示した図である。
【図１０】絵本の読み聞かせ中における表示内容管理部の処理の流れを示したフローチャートである。
【発明を実施するための形態】
【０００９】
以下、添付図面を参照して、本発明の実施形態について詳細に説明する。
＜読み聞かせ支援システムの構成＞
図１は、本実施形態に係る読み聞かせ支援システム１の全体構成例を示す図である。
本実施形態に係る読み聞かせ支援システム１は、絵本の情報を提供することにより、絵本の読み聞かせを支援するコミュニケーションシステムである。
【００１０】
読み聞かせ支援システム１は、管理サーバ１０と、端末２０と、端末３０とを備える。管理サーバ１０と端末２０、および管理サーバ１０と端末３０とは、ネットワークを介して接続されている。
管理サーバ１０は、絵本の絵に関する情報および絵本の文章に関する情報を提供する。具体的には、管理サーバ１０は、読み聞かせ支援システム１の利用申請を、端末２０から受け付ける。また、管理サーバ１０は、読み聞かせ支援システム１の利用グループへの招待の承諾を、端末３０から受け付ける。そして、管理サーバ１０は、端末２０からの絵本の読み聞かせの依頼が端末３０にて承諾されることに基づいて、絵本の絵に関する情報を端末２０に送信し、絵本の文章に関する情報を端末３０に送信する。本実施形態では、絵本の読み聞かせを依頼するユーザを依頼ユーザと称し、読み聞かせを依頼されるユーザを被依頼ユーザと称する。なお、依頼ユーザおよび被依頼ユーザを区別せずに説明する場合には、単にユーザと称する。
【００１１】
管理サーバ１０は、例えば、コンピュータにより実現される。管理サーバ１０は、単一のコンピュータにより構成しても良いし、複数のコンピュータによる分散処理により実現しても良い。
【００１２】
端末２０は、依頼ユーザが所持する端末である。
依頼ユーザの端末２０は、画像表示部２１と、カメラ２２と、ホームボタン２３と、制御部２４とを備える。
画像表示部２１は、画像を表示する。カメラ２２は、撮影領域内の被写体を撮影する。ホームボタン２３は、画像表示部２１にホーム画面を表示させるためのボタンである。制御部２４は、依頼ユーザの端末２０の動作を制御する。なお、ホーム画面は、特定画像として捉えられる。
【００１３】
端末３０は、被依頼ユーザが所持する端末である。
被依頼ユーザの端末３０は、画像表示部３１と、カメラ３２と、ホームボタン３３と、制御部３４とを備える。
被依頼ユーザの端末３０は、依頼ユーザの端末２０と同じ構成である。
【００１４】
依頼ユーザの端末２０および被依頼ユーザの端末３０には、スマートフォンなどの携帯電話、タブレット型端末などの携帯端末機器など、ユーザが持ち歩くことが可能な装置を用いることができる。なお、依頼ユーザの端末２０および被依頼ユーザの端末３０は、例えば、コンピュータ、その他の情報処理装置により実現されてもよい。
本実施形態の依頼ユーザの端末２０および被依頼ユーザの端末３０は、タッチパネルが設けられており、画面をユーザがタッチすることで画面に表示される画像に対する操作および指示を行う。
【００１５】
管理サーバ１０と端末２０との接続、および管理サーバ１０と端末３０との接続に用いられるネットワークは、データの送受信が可能であれば、その種類は特に限定されず、例えばインターネット、ＬＡＮ（Local Area Network）、ＷＡＮ（Wide Area Network）等として良い。データ通信に用いられる通信回線は、有線であっても無線であっても良い。また、複数のネットワークや通信回線を介して各装置を接続する構成としても良い。
【００１６】
＜ハードウェア構成例＞
図２は、管理サーバ１０、依頼ユーザの端末２０、および被依頼ユーザの端末３０のハードウェア構成例を示す図である。
図２に示すように、管理サーバ１０、依頼ユーザの端末２０、および被依頼ユーザの端末３０は、演算手段であるＣＰＵ(Central Processing Unit)１００ａと、主記憶手段であるメモリ１００ｃとを備える。また、各装置は、外部デバイスとして、磁気ディスク装置(ＨＤＤ：Hard Disk Drive)１００ｇ、ネットワークインターフェイス１００ｆ、表示機構１００ｄ、音声機構１００ｈ、キーボードやマウス等の入力デバイス１００ｉ等を備える。
【００１７】
メモリ１００ｃおよび表示機構１００ｄは、システムコントローラ１００ｂを介してＣＰＵ１００ａに接続されている。また、ネットワークインターフェイス１００ｆ、磁気ディスク装置１００ｇ、音声機構１００ｈおよび入力デバイス１００ｉは、ブリッジコントローラ１００ｅを介してシステムコントローラ１００ｂと接続されている。各構成要素は、システムバスや入出力バスなどの各種のバスによって接続される。
【００１８】
磁気ディスク装置１００ｇには、各機能を実現するためのプログラムが格納されている。そして、このプログラムがメモリ１００ｃにロードされ、このプログラムに基づく処理がＣＰＵ１００ａにより実行されることで、各種の機能が実現される。
【００１９】
＜管理サーバの機能構成＞
次に、管理サーバ１０の機能構成について説明する。
図３は、管理サーバ１０の機能構成例を示した図である。
管理サーバ１０は、送受信部１１と、利用受付部１２と、利用者管理部１３と、依頼受付部１４と、通信制御部１５と、絵本情報管理部１６と、表示内容管理部１７と、制限部１８とを備える。
【００２０】
送受信部１１は、ネットワークを介して依頼ユーザの端末２０や被依頼ユーザの端末３０と接続するためのネットワーク・インターフェイスである。これにより、管理サーバ１０は、依頼ユーザの端末２０や被依頼ユーザの端末３０とデータ交換を行う。
【００２１】
利用受付部１２は、依頼ユーザの端末２０から、読み聞かせ支援システム１の利用の申請を受け付ける。利用受付部１２は、依頼ユーザの端末２０から利用の申請を受けると、依頼ユーザの端末２０へのログインＩＤの付与や、依頼ユーザの端末２０からの暗証番号の登録の受付を行う。そして、ログインＩＤおよび暗証番号が入力された依頼ユーザの端末２０による読み聞かせ支援システム１の利用を許可し、利用を許可した依頼ユーザをグループの一員とする読み聞かせ支援システム１の利用グループを作成する。
【００２２】
また、利用受付部１２は、読み聞かせ支援システム１の利用グループに加える被依頼ユーザを決定する。具体的には、利用受付部１２は、依頼ユーザの端末２０から、利用グループに招待したいユーザの指定を受け付ける。ユーザの指定は、例えば、招待したいユーザのメールアドレスを依頼ユーザの端末２０に入力することによって行われる。そして、依頼ユーザに指定されたユーザの端末３０に対し、読み聞かせ支援システム１の利用グループへの招待を通知する。利用グループへの招待がユーザの端末３０により承諾されると、利用受付部１２は、このユーザを被依頼ユーザとして読み聞かせ支援システム１の利用グループに加える。利用受付部１２は、利用グループ内の各ユーザに関するユーザ情報を、各ユーザが依頼ユーザおよび被依頼ユーザの何れであるかを識別可能な形式で利用者管理部１３へ送信する。
【００２３】
利用者管理部１３は、読み聞かせ支援システム１の利用者を管理する。具体的には、利用者管理部１３は、読み聞かせ支援システム１の利用グループごとに、利用グループ内の依頼ユーザと被依頼ユーザとを関連付けて記憶する。
【００２４】
依頼受付部１４は、依頼ユーザの端末２０から、被依頼ユーザによる絵本の読み聞かせの依頼を受け付ける。具体的には、依頼受付部１４は、利用者管理部１３にて依頼ユーザに関連付けられて記憶されている被依頼ユーザのうちの一の被依頼ユーザを指定した読み聞かせの依頼を依頼ユーザの端末２０から受け付ける。依頼受付部１４は、読み聞かせの依頼を受け付けると、指定された被依頼ユーザの端末３０に、依頼ユーザから読み聞かせを依頼されたことを通知する。また、読み聞かせの依頼が被依頼ユーザの端末３０により承諾されると、依頼受付部１４は、依頼ユーザの端末２０に、読み聞かせの依頼が承諾されたことを通知する。さらに、通信制御部１５および制限部１８に、絵本の読み聞かせが開始されることを示す開始情報を送信する。またさらに、依頼ユーザの端末２０から、複数種類の絵本のうち被依頼ユーザに読み聞かせてほしい絵本の選択を受け付ける。そして、選択された絵本に関する絵本情報を、表示内容管理部１７に送信する。
なお、依頼ユーザの端末２０からの読み聞かせの依頼は、被依頼ユーザの端末３０との通信の要求として捉えられる。
【００２５】
通信制御部１５は、依頼受付部１４から開始情報を取得すると、依頼ユーザの端末２０と被依頼ユーザの端末３０との音声通信を確立する。音声通信としては、例えば、Ｐ２Ｐ(peer to peer)による通信方式やＶｏＩＰ(Voice over Internet protocol)による通信方式等が用いられる。
【００２６】
絵本情報管理部１６は、複数種類の絵本の情報を記憶する。絵本情報管理部１６は、例えば、絵本の絵を画像データとして記憶し、絵本の文章をテキストデータとして記憶する。また、絵本情報管理部１６は、絵本の各ページに対応する絵と文章とを関連付けて記憶する。ここで、一の絵本における各ページの絵は、一連の絵として捉えられる。また、一の絵本における各ページの文章は、一連の文章として捉えられる。以下では、画像データとして記憶されている絵本の絵を、絵情報と称する。また、テキストデータとして記憶されている絵本の文章を、文章情報と称する。
【００２７】
表示内容管理部１７は、依頼受付部１４から絵本情報を取得すると、絵本情報管理部１６に記憶されている絵情報のうち、絵本情報に基づいて特定される絵情報を依頼ユーザの端末２０に送信する。具体的には、表示内容管理部１７は、絵本情報から、絵本情報管理部１６に記憶されている複数種類の絵本のうちの一の絵本を特定する。そして、特定した絵本の１ページ目に対応する絵情報を、依頼ユーザの端末２０の画像表示部２１に表示させる。
また、表示内容管理部１７は、絵本情報管理部１６に記憶されている文章情報のうち、絵本情報に基づいて特定される文章情報を被依頼ユーザの端末３０に送信する。具体的には、表示内容管理部１７は、絵本情報から特定した絵本の１ページ目に対応する文章情報を、被依頼ユーザの端末３０の画像表示部３１に表示させる。言い換えると、依頼ユーザの端末２０に表示させる絵情報に関連付けられて記憶されている文章情報を、被依頼ユーザの端末３０に表示させる。
【００２８】
また、表示内容管理部１７は、後述する操作情報を依頼ユーザの端末２０や被依頼ユーザの端末３０から取得すると、取得した操作情報に応じて、依頼ユーザの端末２０や被依頼ユーザの端末３０に画像を表示させる。なお、対象の端末に画像を表示させることは、対象の端末に表示されている画像の変更指示を対象の端末に送信することとして捉えられる。
また、表示内容管理部１７は、被依頼ユーザの端末３０における操作により絵本の読み聞かせに関する画像が被依頼ユーザの端末３０に表示されなくなると、絵本の読み聞かせが終了したことを示す終了情報を制限部１８に送信する。
【００２９】
制限部１８は、依頼ユーザの端末２０における操作や被依頼ユーザの端末３０における操作に基づいて依頼ユーザの端末２０に表示されている画像や被依頼ユーザの端末３０に表示されている画像が変わることを制限する。ここで、「制限」には、端末に表示されている全ての画像を変えないことと、端末に表示されている一部の画像を変えないこととが含まれる。
制限部１８は、依頼受付部１４から開始情報を取得すると、依頼ユーザの端末２０のホームボタン２３が操作されても依頼ユーザの端末２０に表示されている画像がホーム画面に切り替わらないようにする制限命令を、依頼ユーザの端末２０に送信する。また、制限部１８は、表示内容管理部１７から終了情報を取得すると、依頼ユーザの端末２０に対して発した制限命令を解除する解除通知を、依頼ユーザの端末２０に送信する。
【００３０】
また、制限部１８は、開始情報を取得すると、両端末制御制限命令を表示内容管理部１７に送信する。両端末制御制限命令は、依頼ユーザの端末２０および被依頼ユーザの端末３０のうちの一方から、画像の表示倍率を変更する要求を受けた場合に、他方に表示されている画像の表示倍率を変更しないようにする制御命令である。また、制限部１８は、表示内容管理部１７から終了情報を取得すると、表示内容管理部１７に対して発した両端末制御制限命令を解除する解除通知を、表示内容管理部１７に送信する。
【００３１】
＜端末における制御部の機能構成＞
次に、依頼ユーザの端末２０における制御部２４の機能構成について説明する。
図４は、制御部２４の機能構成例を示した図である。
制御部２４は、送受信部２４１と、操作情報生成部２４２と、表示制御部２４３とを備える。
【００３２】
送受信部２４１は、ネットワークを介して管理サーバ１０と接続するためのネットワーク・インターフェイスである。これにより、依頼ユーザの端末２０は、管理サーバ１０とデータ交換を行う。
操作情報生成部２４２は、依頼ユーザの端末２０における画像表示部２１に表示されている画像を変えるための操作が行われると、何れの操作が行われたかを示す操作情報を生成する。ここで、画像を変えるための操作としては、例えば、画像の表示倍率を変えるための操作や、画像の表示内容を変えるための操作が挙げられる。操作情報生成部２４２は、生成した操作情報を、送受信部２４１を介して管理サーバ１０へ送信する。
表示制御部２４３は、管理サーバ１０から取得した絵本に関する情報を画像表示部２１に表示する制御を行う。また、表示制御部２４３は、ホームボタン２３が操作されると、画像表示部２１にホーム画面を表示させる。一方、表示制御部２４３は、管理サーバ１０から制限命令を取得してから解除通知を受けるまでの間、ホームボタン２３が操作されても、画像表示部２１にホーム画面を表示させない。
【００３３】
＜読み聞かせ支援システムの動作例＞
続いて、本実施形態の読み聞かせ支援システム１の動作例について説明する。
図５は、読み聞かせ支援システム１のシーケンス図である。
図５に示すように、依頼ユーザは、依頼ユーザの端末２０を用いて、読み聞かせ支援システム１の利用申請を行う（Ｓ１０１）。
管理サーバ１０の利用受付部１２は、依頼ユーザの端末２０からの利用申請を受け付け、依頼ユーザによる読み聞かせ支援システム１の利用を許可する（Ｓ１０２）。また、依頼ユーザの端末２０に対し、読み聞かせ支援システム１の利用グループに招待したいユーザを指定させる（Ｓ１０３）。
【００３４】
依頼ユーザは、利用グループに招待したいユーザを指定する（Ｓ１０４）。
管理サーバ１０の利用受付部１２は、依頼ユーザに指定された被依頼ユーザの端末３０に対し、利用グループへの招待を通知する（Ｓ１０５）。
被依頼ユーザは、被依頼ユーザの端末３０を用いて、利用グループへの招待を承諾する（Ｓ１０６）。
管理サーバ１０の利用受付部１２は、依頼ユーザの端末２０に対し、被依頼ユーザの利用グループへの招待が承諾されたことを通知する（Ｓ１０７）。
【００３５】
依頼ユーザは、被依頼ユーザを指定した読み聞かせの依頼を行う（Ｓ１０８）。
管理サーバ１０の依頼受付部１４は、読み聞かせの依頼を被依頼ユーザの端末３０に通知する（Ｓ１０９）。
被依頼ユーザは、読み聞かせの依頼を承諾する（Ｓ１１０）。
【００３６】
管理サーバ１０の通信制御部１５は、依頼ユーザの端末２０と被依頼ユーザの端末３０との音声通信を確立させる（Ｓ１１１）。
管理サーバ１０の依頼受付部１４は、依頼ユーザの端末２０に対し、依頼ユーザが読み聞かせてほしい絵本を選択させる（Ｓ１１２）。
依頼ユーザは、依頼ユーザの端末２０の画像表示部２１に表示されている絵本の中から、被依頼ユーザに読み聞かせてほしい絵本を選択する（Ｓ１１３）。
【００３７】
管理サーバ１０の表示内容管理部１７は、絵本情報管理部１６に記憶されている絵情報のうち、依頼ユーザに選択された絵本の１ページ目に対応する絵情報を、依頼ユーザの端末２０に送信する（Ｓ１１４）。また、依頼ユーザに選択された絵本の１ページ目に対応する文章情報を、被依頼ユーザの端末３０に送信する（Ｓ１１５）。
これにより、依頼ユーザの端末２０における画像表示部２１には、絵情報が表示される（Ｓ１１６）。また、被依頼ユーザの端末３０における画像表示部３１には、文章情報が表示される（Ｓ１１７）。
【００３８】
これにより、被依頼ユーザから依頼ユーザへの絵本の読み聞かせが始まる。本実施形態の読み聞かせ支援システム１を用いることで、例えば、孫（依頼ユーザの一例）と、この孫の祖父母（被依頼ユーザの一例）とが互いに離れた場所に居住する場合であっても、祖父母は孫とコミュニケーションを図ることができる。また、例えば、孫の親は、絵本の読み聞かせを祖父母に依頼することで、絵本の読み聞かせに必要な時間を、夕飯の支度などの他の用事を済ますために必要な時間に充てることができる。
【００３９】
＜読み聞かせ中における画像の表示例＞
次に、絵本の読み聞かせ中において依頼ユーザの端末２０の画像表示部２１に表示される画像および被依頼ユーザの端末３０の画像表示部３１に表示される画像の表示例について説明する。以下では、被依頼ユーザである「Ｂさん」が依頼ユーザである「Ａさん」に絵本の読み聞かせを行う場合について説明する。
図６〜図９は、依頼ユーザの端末２０における画像の表示例および被依頼ユーザの端末３０における画像の表示例を示した図である。
【００４０】
図６に示すように、依頼ユーザの端末２０の画像表示部２１には、被依頼ユーザの端末３０のカメラ３２に撮影されている撮影映像５１が表示されている。図示の例では、撮影映像５１には、被依頼ユーザが映っている。また、画像表示部２１には、撮影映像５１に映っている被写体を拡大表示させるための拡大ボタン５２、および被写体を縮小表示させるための縮小ボタン５３が表示されている。
【００４１】
また、画像表示部２１には、絵本画像５４が表示されている。絵本画像５４には、絵５５と、絵５５を拡大表示させるための拡大ボタン５６と、絵５５を縮小表示させるための縮小ボタン５７とが表示されている。また、絵本画像５４には、絵５５に対応する絵本のページを示すページ情報５８と、絵本のページを１ページ進めるための次ページボタン５９と、絵本のページを１ページ戻すための前ページボタン６０とが表示されている。
【００４２】
被依頼ユーザの画像表示部３１には、依頼ユーザの端末２０のカメラ２２に撮影されている撮影映像７１が表示されている。図示の例では、撮影映像７１には、依頼ユーザが映っている。また、画像表示部３１には、撮影映像７１に映っている被写体を拡大表示させるための拡大ボタン７２、および被写体を縮小表示させるための縮小ボタン７３が表示されている。
【００４３】
また、画像表示部３１には、絵本画像７４が表示されている。絵本画像７４には、文章７５と、文章７５を拡大表示させるための拡大ボタン７６と、文章７５を縮小表示させるための縮小ボタン７７とが表示されている。また、絵本画像７４には、文章７５に対応する絵本のページを示すページ情報７８と、絵本のページを１ページ進めるための次ページボタン７９と、絵本のページを１ページ戻すための前ページボタン８０とが表示されている。
【００４４】
図示の例では、依頼ユーザの端末２０には、絵本の１９ページ目に対応する絵５５が表示されている。また、被依頼ユーザの端末３０には、絵本の１９ページ目に対応する文章７５が表示されている。
また、依頼ユーザの端末２０と被依頼ユーザの端末３０とで音声通信が行われている。被依頼ユーザは、被依頼ユーザの端末３０のマイク（不図示）に向かって被依頼ユーザの端末３０に表示されている文章７５を読み上げると、依頼ユーザの端末２０のスピーカー（不図示）から、被依頼ユーザが読み上げた言葉が出力される。
【００４５】
図示の例では、被依頼ユーザが文章７５「みきちゃんは、バッグを探していました。」を読み上げると、依頼ユーザは、読み上げられた話を聞いて、依頼ユーザの端末２０に表示されている絵５５が、女の子がバッグを探している絵であることを理解する。このようにして、被依頼ユーザから依頼ユーザへの絵本の読み聞かせが行われる。
【００４６】
ここで、図７（ａ）に示すように、依頼ユーザが依頼ユーザの端末２０に表示されている絵本画像５４の次ページボタン５９を選択すると、図７（ｂ）に示すように、依頼ユーザの端末２０には、絵本の２０ページ目に対応する絵５５が表示される。また、依頼ユーザが次ページボタン５９を選択したことにより、被依頼ユーザの端末３０には、絵本の２０ページ目に対応する文章７５が表示される。さらに、被依頼ユーザの端末３０には、依頼ユーザが絵本のページを変更するための操作を行ったことを通知する変更通知画面８１が表示される。変更通知画面８１には、「Ａちゃんが「すすむ」ボタンを押しました。」というメッセージが表示される。変更通知画面８１のＯＫボタン８２を選択すると、変更通知画面８１は非表示になる。
なお、被依頼ユーザの端末３０に表示されている絵本画像７４には、絵本画像７４および撮影映像７１を非表示にして読み聞かせを終了させるための終了ボタン８３が表示されている。終了ボタン８３は、絵本の最終ページに対応する絵本画像７４に表示される。
【００４７】
続いて、図８（ａ）に示すように、被依頼ユーザが被依頼ユーザの端末３０に表示されている拡大ボタン７６を選択すると、図８（ｂ）に示すように、被依頼ユーザの端末３０に表示されていた文章７５が拡大表示される。一方、依頼ユーザの端末２０に表示されている画像の大きさは変わらない。
【００４８】
続いて、図８（ｂ）に示すように、依頼ユーザが依頼ユーザの端末２０のホームボタン２３を操作した場合、図９（ａ）に示すように、依頼ユーザの端末２０には、ホーム画面が表示されず、絵本画像５４および撮影映像５１が表示され続ける。また、依頼ユーザの端末２０には、ホームボタン２３の操作が有効でないことを通知する無効通知画面６１が表示される。無効通知画面６１には、「ホームボタンのそうさはむこうです。」というメッセージが表示される。依頼ユーザがＯＫボタン６２を選択すると、無効通知画面６１は非表示になる。また、このとき、被依頼ユーザの端末３０における画像の表示内容は変わらない。
続いて、被依頼ユーザが被依頼ユーザの端末３０のホームボタン３３を操作すると、図９（ｂ）に示すように、被依頼ユーザの端末３０にはホーム画面が表示される。また、依頼ユーザの端末２０には、被依頼ユーザの端末３０に対する被依頼ユーザの操作により絵本に関する画像が表示されなくなり読み聞かせが終了したことを通知する終了通知画面６３が表示される。終了通知画面６３には、「Ｂさんがえほんのがめんをとじました。よみきかせがおわります」というメッセージが表示される。依頼ユーザがＯＫボタン６４を選択すると、依頼ユーザの端末２０にもホーム画面が表示される。
【００４９】
なお、被依頼ユーザが終了ボタン８３（図９（ａ）参照）を選択した場合であっても、被依頼ユーザの端末３０にはホーム画面が表示される。さらに、依頼ユーザの端末２０には、終了通知画面６３（図９（ｂ）参照）が表示され、依頼ユーザがＯＫボタン６４を選択することによりホーム画面が表示される。
【００５０】
このように、本実施形態では、絵本の読み聞かせ中に依頼ユーザの端末２０のホームボタン２３が操作された場合、依頼ユーザの端末２０に表示されている画像および被依頼ユーザの端末３０に表示されている画像を何れも変えないようにしている。また、依頼ユーザの端末２０および被依頼ユーザの端末３０の何れか一方において画像の表示倍率を変更するための操作が行われた場合、この操作が行われていない端末に表示されている画像の表示倍率を変えないようにしている。
【００５１】
本実施形態では、依頼ユーザの端末２０に絵本の絵が表示され、被依頼ユーザの端末３０に絵本の文章が表示された状態で、絵本の読み聞かせが行われる。ここで、読み聞かせ中に依頼ユーザが誤って依頼ユーザの端末２０のホームボタン２３を操作した場合に依頼ユーザの端末２０に表示されている絵本に関する画像が非表示になると、再び絵本に関する画像を表示させるための操作が必要になる。
また、依頼ユーザの端末２０および被依頼ユーザの端末３０の一方にて画像の表示倍率を変える操作が行われた場合に、一方のみならず他方に表示されている画像の表示倍率も変わると、他方の端末のユーザにとって適切でない倍率で画像が表示される場合がある。この場合、他方の端末のユーザが、適切な倍率で画像を表示させるための操作を行うことが必要になる。
依頼ユーザの端末２０および被依頼ユーザの端末３０に再び適切な画像を表示させるための操作が必要になると、この操作が行われている間、依頼ユーザと被依頼ユーザとのコミュニケーションに支障が生じることがある。
【００５２】
そこで、本実施形態では、依頼ユーザの端末２０におけるホームボタン２３の操作が行われた場合に、依頼ユーザの端末２０にホーム画面が表示されないようにしている。また、依頼ユーザの端末２０および被依頼ユーザの端末３０の何れか一方にて画像の表示倍率を変えるための操作が行われた場合に、操作が行われていない端末に表示されている画像を変えないようにしている。この場合、依頼ユーザの端末２０や被依頼ユーザの端末３０に適切でない画像が表示されることが抑制され、この結果、依頼ユーザと被依頼ユーザとのコミュニケーションに支障が生じることが抑制される。
【００５３】
＜読み聞かせ中における表示内容管理部の処理＞
続いて、絵本の読み聞かせ中における表示内容管理部１７の処理について説明する。
図１０は、絵本の読み聞かせ中における表示内容管理部１７の処理の流れを示したフローチャートである。
まず、表示内容管理部１７は、依頼ユーザの端末２０や被依頼ユーザの端末３０から操作情報を取得したか否かを判定する（Ｓ２０１）。否定結果が継続している間、表示内容管理部１７は、ステップ２０１の判定動作を繰り返す。
【００５４】
一方、表示内容管理部１７が操作情報を取得した場合、肯定結果を得てステップ２０２へ進む。
表示内容管理部１７は、取得した操作情報から特定される操作が、絵本のページ変更に関する操作であるか否かを判定する。絵本のページ変更に関する操作とは、依頼ユーザの端末２０において次ページボタン５９（図６参照）や前ページボタン６０を選択する操作や、被依頼ユーザの端末３０において次ページボタン７９や前ページボタン８０を選択する操作である。絵本のページ変更に関する操作は、画像の表示内容を変えるための内容変更操作として捉えられる。
【００５５】
肯定結果が得られた場合、表示内容管理部１７は、依頼ユーザの端末２０に表示されている画像および被依頼ユーザの端末３０に表示されている画像を変える（Ｓ２０３）。その後、ステップ２０１以降の処理を繰り返す。
一方、ステップ２０２で否定結果が得られた場合、表示内容管理部１７は、操作情報から特定される操作が、画像の表示倍率を変更する操作であるか否かを判定する（Ｓ２０４）。画像の表示倍率を変更する操作とは、依頼ユーザの端末２０における拡大ボタン５２、５６（図６参照）や縮小ボタン５３、５７を選択する操作や、被依頼ユーザの端末３０における拡大ボタン７２、７６や縮小ボタン７３、７７を選択する操作である。画像の表示倍率を変更する操作は、画像の表示内容を変えるための内容変更操作とは異なる。
【００５６】
肯定結果が得られた場合、表示内容管理部１７は、画像の表示倍率を変更する操作が行われた端末における画像の表示倍率を、行われた操作に応じた倍率に変更する（Ｓ２０５）。その後、ステップ２０１以降の処理を繰り返す。
一方、ステップ２０４で否定結果が得られた場合、表示内容管理部１７は、操作情報から特定される操作がホームボタンの操作であるか否かを判定する（Ｓ２０６）。
【００５７】
肯定結果が得られた場合、表示内容管理部１７は、ホームボタンの操作が被依頼ユーザの端末３０におけるホームボタン３３の操作か否かを判定する（Ｓ２０７）。肯定結果が得られた場合、表示内容管理部１７は、被依頼ユーザの端末３０における絵本画像７４および撮影映像７１を非表示にする（Ｓ２０８）。また、依頼ユーザの端末２０に終了通知画面６３（図９（ｂ）参照）を表示させ、その後、絵本画像５４および撮影映像５１を非表示にする（Ｓ２０９）。
【００５８】
一方、ステップ２０７で否定結果が得られた場合、表示内容管理部１７は、ホームボタンの操作が依頼ユーザの端末２０におけるホームボタン２３の操作と判定する。この場合、表示内容管理部１７は、依頼ユーザの端末２０に無効通知画面６１（図９（ａ）参照）を表示させる（Ｓ２１０）。
【００５９】
また、ステップ２０６で否定結果が得られた場合、表示内容管理部１７は、操作情報から特定される操作が、被依頼ユーザの端末３０における終了ボタン８３の操作であると判定する。この場合、表示内容管理部１７は、被依頼ユーザの端末３０における絵本画像７４および撮影映像７１を非表示にする（Ｓ２１１）。また、依頼ユーザの端末２０に終了通知画面６３（図９（ｂ）参照）を表示させ、その後、絵本画像５４および撮影映像５１を非表示にする（Ｓ２１２）。
【００６０】
なお、本実施形態では、依頼ユーザに指定されたユーザが利用グループへの招待を承諾することによって、絵本の読み聞かせの依頼の対象となる被依頼ユーザが加わることを説明したが、これに限定されない。
例えば、ユーザが絵本の読み聞かせを行う者としての読み聞かせ支援システム１の利用申請を行うことで、読み聞かせの依頼の対象となる被依頼ユーザが加わってもよい。この場合に、依頼ユーザは、自らが所属している利用グループ外の被依頼ユーザに対して読み聞かせを依頼してもよい。
【００６１】
また、例えば、依頼ユーザの端末２０に表示される絵本画像５４（図６参照）には、絵５５とともに、この絵５５に関連付けられた文章７５の一部または全部が表示されてもよい。また、被依頼ユーザの端末３０に表示される絵本画像７４には、文章７５とともに、この文章７５に関連付けられた絵５５の一部または全部が表示されてもよい。ここで、依頼ユーザの端末２０に表示される絵本画像と、被依頼ユーザの端末３０に表示される絵本画像とが同じであってもよい。
【００６２】
また、例えば、絵本の読み聞かせ中において、ユーザが絵本画像の拡大ボタンや縮小ボタンを選択して画像の表示倍率を変更した場合、変更後の表示倍率が保存されてもよい。そして、ユーザが次ページボタンや前ページボタンを選択して表示ページを変更した場合、保存された表示倍率により変更先の画像が表示されてもよい。表示倍率の保存は、例えば、表示内容管理部１７により行われてもよい。
【００６３】
また、変更通知画面８１（図７（ｂ）参照）におけるメッセージ、無効通知画面６１（図９（ａ）参照）におけるメッセージ、終了通知画面６３におけるメッセージは、それぞれ音声により対象の端末から出力されてもよい。また、これらのメッセージは、画像として対象の端末に表示されるとともに音声として出力されてもよい。
【００６４】
また、本実施形態では、絵本の読み聞かせ中において被依頼ユーザの端末３０のホームボタン３３が操作されると、依頼ユーザの端末２０に表示されている絵本画像５４（図９（ａ）参照）や撮影映像５１が非表示になることを説明したが、これに限定されない。
例えば、被依頼ユーザの端末３０のホームボタン３３が操作された場合に、被依頼ユーザの端末３０に表示されている絵本画像７４および撮影映像７１が非表示になる一方、依頼ユーザの端末２０に表示されている絵本画像５４および撮影映像５１が表示され続けてもよい。
【００６５】
また、本実施形態では、依頼ユーザの端末３０に、絵本の最終ページに対応する絵本画像７４に終了ボタン８３が表示されることを説明したが、これに限定されない。
例えば、何れのページに対応する絵本画像７４にも終了ボタン８３が表示されてもよい。
【００６６】
また、本実施形態では、依頼ユーザの端末２０の操作では絵本画像５４および撮影映像５１が非表示にならないことを説明したが、これに限定されない。
例えば、依頼ユーザの端末２０に、絵本の最終ページに対応する絵本画像５４が表示される場合、この絵本画像５４に、絵本画像５４および撮影映像５１を非表示にして読み聞かせを終了させるための終了ボタンが表示されてもよい。そして、この終了ボタンを選択した場合に、依頼ユーザの端末２０に表示されている絵本画像５４および撮影映像５１が非表示になり、さらに、被依頼ユーザの端末３０に表示されている絵本画像７４および撮影映像７１が非表示になってもよい。
【００６７】
また、本実施形態では、依頼ユーザの端末２０や被依頼ユーザの端末３０に絵本に関する画像を表示させることを説明したが、絵本に関連しない画像を表示してもよい。
【００６８】
また、本実施形態では、依頼ユーザの端末２０や被依頼ユーザの端末３０など、ユーザによる操作が行われる端末に画像を表示することを説明したが、画像を表示可能な表示媒体であれば、ユーザによる操作が行われる端末とは別の表示媒体に画像を表示させてもよい。
【００６９】
また、本実施形態では、管理サーバ１０から送信された情報が依頼ユーザの端末２０や被依頼ユーザの端末３０に出力されることで絵本の読み聞かせが実現される構成としたが、これに限定されない。
例えば、依頼ユーザの端末２０や被依頼ユーザの端末３０が管理サーバ１０の機能を有してもよい。言い換えると、依頼ユーザの端末２０や被依頼ユーザの端末３０が、管理サーバ１０の送受信部１１、利用受付部１２、利用者管理部１３、依頼受付部１４、通信制御部１５、絵本情報管理部１６、表示内容管理部１７、制限部１８等の機能を備えることとしてもよい。
【００７０】
また、本発明の実施形態を実現するプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて提供することも可能である。
【００７１】
以上、本発明の実施形態について説明したが、本発明の技術的範囲は上記の実施形態に記載の範囲には限定されない。上記の実施形態に、種々の変更又は改良を加えたものも、本発明の技術的範囲に含まれることは、特許請求の範囲の記載から明らかである。
【符号の説明】
【００７２】
１…読み聞かせ支援システム、１０…管理サーバ、１１…送受信部、１２…利用受付部、１３…利用者管理部、１４…依頼受付部、１５…通信制御部、１６…絵本情報管理部、１７…表示内容管理部、１８…制限部、２０…端末、２１…画像表示部、２２…カメラ、２３…ホームボタン、２４…制御部、３０…端末、３１…画像表示部、３２…カメラ、３３…ホームボタン、３４…制御部
【図１】
2020048085.tif 000003
【図２】
2020048085.tif 000004
【図３】
2020048085.tif 000005
【図４】
2020048085.tif 000006
【図５】
2020048085.tif 000007
【図６】
2020048085.tif 000008
【図７】
2020048085.tif 000009
【図８】
2020048085.tif 000010
【図９】
2020048085.tif 000011
【図１０】
2020048085.tif 000012